(57)【要約】【課題】あらゆる掃除形態に対応可能な使い勝手のよい電気掃除機を提供する。【解決手段】本発明の電気掃除機は、走行車輪９が設けられた充電台８に掃除機本体１を載置可能に構成され、充電台８に掃除機本体１を載置した状態で交流電源により電動送風機２を駆動する床移動型の電気掃除機としての使用形態と、充電台８から掃除機本体１を取り外して、内蔵された電池６により電動送風機２を駆動する充電形態型の電気掃除機としての使用形態と、を選択可能に構成されている。掃除機本体１には回転可動式の持ち手ハンドル１３が設けられている。持ち手ハンドル１３は、床移動型の使用形態では持ち手部１３３が掃除機本体１の直上となる位置とされ、携帯移動型の使用形態では持ち手部１３３を掃除機本体１に対して１８０°回転させて、持ち手部１３３が掃除機本体１の後方となる位置とされる。【選択図】図５
2015213647.tif 000002
【特許請求の範囲】
【請求項１】
吸引風を発生させる電動送風機と、前記電動送風機を駆動する電池と、を有する掃除機本体と、
前記掃除機本体を着脱自在に構成され、前記掃除機本体が装着された状態で前記電池を充電する充電台と、
前記充電台に設けられた走行手段と、
前記充電台と交流電源とを接続する電源コードと、
前記電池から供給される直流電源と前記充電台から供給される交流電源とを択一的に選択して前記電動送風機を駆動する駆動制御回路と、
前記掃除機本体の上面部に配置された持ち手ハンドルと、
前記掃除機本体に対する前記持ち手ハンドルの向きを可変させる可変機構と、
を備える電気掃除機。
【請求項２】
前記持ち手ハンドルは、
前記掃除機本体に支持される支持部と、
前記支持部から前記掃除機本体の上面に沿って延在する持ち手部と、を備え、
前記可変機構は、前記支持部を支点として前記持ち手部を前記掃除機本体に対して回転させて、前記持ち手部の延在方向を、前記掃除機本体の前方に向かう方向と後方に向かう方向との間で回転可能に構成された機構である請求項１に記載の電気掃除機。
【請求項３】
前記電動送風機の動作を操作する操作部を前記持ち手ハンドルの上面に設けて成る請求項１又は請求項２に記載の電気掃除機。
【請求項４】
前記掃除機本体に着脱自在に構成されたホースと、
前記ホースの前端に接続可能なアタッチメントと、を備え、
前記掃除機本体は、前記ホースを介在させずに前記アタッチメントを装着可能に構成されている請求項１から請求項３の何れか１項に記載の電気掃除機。
【請求項５】
前記アタッチメントは、前記電動送風機による吸引力が作用する延長管である請求項４に記載の電気掃除機。
【請求項６】
前記アタッチメントは、前記電動送風機による吸引力が作用する吸込口体である請求項４または請求項５に記載の電気掃除機。
【発明の詳細な説明】
【技術分野】
【０００１】
この発明は、電気掃除機に関する。
【背景技術】
【０００２】
従来、例えば特許文献１には、電気掃除機において、床移動型と携帯型の両方の使用性を向上させるための技術が開示されている。この電気掃除機では、より詳しくは、吸引風を発する電動送風機と電動送風機を駆動する電池とを有する掃除機本体と、電池を充電するための充電回路を有する充電台とを備えている。そして、充電台は走行手段を備えるとともに、掃除機本体と充電台とを着脱自在に構成されている。
【先行技術文献】
【特許文献】
【０００３】
【特許文献１】特開２００４−２２３１３４号公報
【発明の概要】
【発明が解決しようとする課題】
【０００４】
しかしながら、上記特許文献１の電気掃除機では、携帯型として階段または机上などを掃除する場合に、必要のないホース又は延長管が負担となることがある。このため、上記従来の電気掃除機は、充電式掃除機のメリットである携帯性を十分に発揮できるものとはいえず、未だ改善の余地が残されたものであった。
【０００５】
この発明は、上述の課題を解決するためになされたもので、あらゆる掃除形態に対応可能な使い勝手のよい電気掃除機を提供することを目的とする。
【課題を解決するための手段】
【０００６】
この発明に係る電気掃除機は、吸引風を発生させる電動送風機と、電動送風機を駆動する電池と、を有する掃除機本体と、掃除機本体を着脱自在に構成され、掃除機本体が装着された状態で電池を充電する充電台と、充電台に設けられた走行手段と、充電台と交流電源とを接続する電源コードと、電池から供給される直流電源と充電台から供給される交流電源とを択一的に選択して電動送風機を駆動する駆動制御回路と、掃除機本体の上面部に配置された持ち手ハンドルと、掃除機本体に対する持ち手ハンドルの向きを可変させる可変機構と、を備えるものである。
【発明の効果】
【０００７】
この発明によれば、掃除機本体に対する持ち手ハンドルの向きを可変させることができるので、あらゆる掃除形態に対応可能な使い勝手のよい電気掃除機を提供することが可能となる。
【図面の簡単な説明】
【０００８】
【図１】本発明の実施の形態１における電気掃除機の全体構成図である。
【図２】本発明の実施の形態１における電気掃除機の掃除機本体を示す斜視図である。
【図３】掃除機本体を充電台から切り離した状態を示す図である。
【図４】掃除機本体に延長管を直接装着した図である。
【図５】本発明の実施の形態における回転可動式の持ち手ハンドルの構造を説明するための図である。
【図６】持ち手ハンドルを回転可動させた上で掃除機本体に延長管を直接装着した図である。
【図７】持ち手ハンドルを回転可動させた上で掃除機本体に吸込口体を直接装着した図である。
【図８】充電台に載置された掃除機本体の平面図及び正面図である。
【図９】充電台から取り外して持ち手ハンドルを回転させた掃除機本体の平面図及び正面図である。
【発明を実施するための形態】
【０００９】
以下、図面を参照してこの発明を実施するための形態について説明する。なお、各図中において、同一又は相当する部分には同一の符号を付して、重複する説明は適宜に簡略化ないし省略する。
【００１０】
実施の形態１．
図１は、本発明の実施の形態１における電気掃除機の全体構成図である。また、図２は、本発明の実施の形態１における電気掃除機の掃除機本体を示す斜視図である。なお、図１及び図２では、説明の都合上、掃除機本体の内部を一部透視して示している。
【００１１】
図１または図２に示すように、本発明の実施の形態１における電気掃除機は、吸引風を発生させる電動送風機２が内蔵された掃除機本体１を備えている。掃除機本体１の前部に設けられた吸込口には、中空状かつ蛇腹状に形成されたホース３の後端が接続されている。ホース３の前端には、操作部が設けられた手元ハンドル３１の一端が接続されている。手元ハンドル３１の他端には、アタッチメントである円筒状の延長管４及び床ブラシとしての吸込口体５を着脱可能に構成されている。図１に示す使用形態では、手元ハンドル３１の他端に延長管４の後端が接続され、さらに延長管４の前端に吸込口体５が接続されている。電動送風機２が駆動されると、ホース３、延長管４及び吸込口体５には吸引力が作用し、吸込口体５から塵埃が吸引される。なお、ホース３の手元ハンドル３１には、吸込口体５を直接着脱することも可能に構成されている。また、掃除機本体１の上面部には持ち手ハンドル１３が設けられている。さらに、持ち手ハンドル１３の上面には電動送風機２の動作を操作するための操作部１３１が設けられている。
【００１２】
掃除機本体１の内部には、上述した電動送風機２の駆動を制御するための駆動制御回路１２が内蔵されている。駆動制御回路１２は、電動送風機２を直流電源でも交流電源でも駆動可能に構成されたものである。また、掃除機本体１には、電動送風機２の直流電源としての充電式の電池６が内蔵されている。
【００１３】
また、本実施の形態の電気掃除機は、掃除機本体１を着脱可能に構成された充電台８を備えている。充電台８には、走行手段としての走行車輪９及びキャスター１０と、外部交流電源と接続するための電源コード１１と、が設けられている。電源コード１１は、図示しないコードリールによって充電台８の内部に収納可能に構成されている。掃除機本体１には電池６の充電を制御するための充電回路７が内蔵されている。掃除機本体１が充電台８に載置されると、充電回路７は電池６の充電動作を行う。なお、充電回路７は充電台８の側に内蔵される構成でもよい。
【００１４】
次に、本実施の形態の電気掃除機の特徴的構成について説明する。図１に示すように、本実施の形態の電気掃除機は、掃除機本体１を充電台８に載置することにより、走行手段を備えた床移動型の電気掃除機として使用することができる。この際、駆動制御回路１２は、外部交流電源から電源コード１１を介して供給される交流電源により電動送風機２を駆動する。このため、床移動型の電気掃除機としての使用形態では、電池残量を気にすることなく大きな吸引力による長時間の掃除が可能となる。
【００１５】
また、本実施の形態の電気掃除機は、掃除機本体１を充電台８から切り離して充電式携帯型の電気掃除機として使用することもできる。図３は、掃除機本体を充電台から切り離した状態を示す図である。上述したように、本実施の形態の電気掃除機は、掃除機本体１を充電台８へ着脱自在に構成されている。掃除機本体１が充電台８から外されると、駆動制御回路１２は、電池６から供給される直流電源により電動送風機２を駆動する。このため、充電式携帯型の電気掃除機としての使用形態では、持ち手ハンドル１３を把持してコードレス式の掃除機として使用することができる。また、この使用形態によれば、充電台８に付属している走行車輪９、キャスター１０及び電源コード等の部品を掃除機本体１から切り離すことができるので、軽量化による使い勝手の向上を図ることができる。
【００１６】
ここで、図３に示す充電式携帯型の電気掃除機としての使用形態では、掃除機本体１にホース３が接続され、当該ホース３に更に延長管４及び吸込口体５が接続されている。この場合、階段等の空間が制限された箇所を掃除する場合、または机上等の手元に近い箇所を清掃する場合には、ホース３が煩わしくなることも想定される。また、図３に示す使用形態では、片手で持ち手ハンドル１３を把持するとともに、もう一方の手でホース３の手元ハンドル３１を把持する必要があるため、清掃時に両手が塞がり不便なことも想定される。
【００１７】
そこで、本実施の形態の電気掃除機では、掃除機本体１に延長管４が直接装着される。図４は、掃除機本体に延長管を直接装着した図である。この図に示すように、本実施の形態の電気掃除機では、掃除機本体１を充電台８から外した状態において、吸込口体５が接続された延長管４をホース３を介在させずに掃除機本体１の吸込口に直接装着可能に構成されている。このようなコードレススティック式の電気掃除機としての使用形態によれば、持ち手ハンドル１３を片手で把持するのみで清掃することができるので使い勝手が向上する。
【００１８】
ここで、図４に示すコードレススティック式の電気掃除機としての使用形態では、持ち手ハンドル１３を操作して延長管４の前端に装着された吸込口体５を床面に沿って動かす。この際、延長管４は掃除機本体１の前方へ直線的に突出しているため、吸込口体５を床面に沿って動かすためには、掃除機本体１の前方を下方に傾けた姿勢にする必要がある。この際、掃除機本体１の上面の上部に設けられた持ち手ハンドル１３を把持する構成では、係る姿勢を維持し難いことも想定される。
【００１９】
そこで、本実施の形態では、掃除機本体１に対する持ち手ハンドル１３の向きを、清掃形態に応じて可変可能な回転可動式の持ち手ハンドルを採用している。図５は、本発明の実施の形態における回転可動式の持ち手ハンドルの構造を説明するための図である。この図に示すように、持ち手ハンドル１３は、掃除機本体１の上面後方に支持される支持部１３２と、支持部１３２から掃除機本体１の上面に沿って延在する持ち手部１３３と、掃除機本体１に対する持ち手ハンドル１３の向きを可変させる可変機構１３４と、を備えている。より詳しくは、可変機構１３４は、支持部１３２を支点として持ち手部１３３を掃除機本体１に対して１８０°回転させて、持ち手部１３３の延在方向（つまり先端へ向かう方向）を、掃除機本体１の前方に向かう方向から後方に向かう方向へと回転可能に構成されたものである。このような構成によれば、掃除機本体１に対する持ち手ハンドル１３の向きを、掃除機本体１の直上と後方の２通りの位置に切り替えることが可能となる。
【００２０】
本実施の形態では、コードレススティック式の電気掃除機として使用する際に、持ち手ハンドル１３を回転可動させることが行われる。図６は、持ち手ハンドルを回転可動させた上で掃除機本体に延長管を直接装着した図である。この図に示すように、本実施の形態の電気掃除機では、コードレススティック式の電気掃除機としての使用形態において、掃除機本体１に対する持ち手ハンドル１３の向きを、掃除機本体１の後方の位置に切り替えることができる。これにより、コードレススティック式の電気掃除機としての使用形態において、持ち手ハンドル１３の操作自由度が増すので、使い勝手が向上する。
【００２１】
また、本実施の形態の電気掃除機では、掃除機本体１に吸込口体５を直接装着することもできる。図７は、持ち手ハンドルを回転可動させた上で掃除機本体に吸込口体を直接装着した図である。この図に示すように、本実施の形態の電気掃除機では、掃除機本体１を充電台８から外した状態において、ホース３を介在させずに吸込口体５を掃除機本体１の吸込口に直接装着可能に構成されている。このようなコードレスハンディ式の電気掃除機としての使用形態によれば、持ち手ハンドル１３を片手で把持するのみで手元に近い箇所の清掃を行うことができるので、机上等の清掃における使い勝手を有効に向上させることができる。
【００２２】
また、図７に示すように、コードレスハンディ式の電気掃除機として使用する際には、掃除機本体１に対する持ち手ハンドル１３の向きを、掃除機本体１の後方の位置に切り替えることができる。これにより、コードレスハンディ式の電気掃除機としての使用形態において、持ち手ハンドル１３の操作自由度が増すので、使い勝手が向上する。
【００２３】
さらに、本実施の形態の電気掃除機では、操作部１３１の配置にも特徴を有している。図８は、充電台に載置された掃除機本体の平面図及び正面図である。また、図９は、充電台から取り外して持ち手ハンドルを回転させた掃除機本体の平面図及び正面図である。これらの図に示すように、操作部１３１は、図８に示す持ち手ハンドル１３の位置においても図９に示す回転後の位置においても、使用者が実際に握る部分の前方となる位置に配置されている。このような配置は、例えば、操作部１３１を持ち手ハンドル１３の持ち手部１３３の中央付近に配置することで実現することができる。これにより、床移動型、コードレススティック式の携帯型、及びコードレスハンディ式の携帯型の何れにおいても、操作部１３１の操作性を損なうことのない電気掃除機とすることができる。
【００２４】
このように、本発明の実施の形態の電気掃除機によれば、床移動型、コードレススティック式の携帯型、及びコードレスハンディ式の携帯型としての使用形態に対応することができる。このため、本発明によれば、あらゆる掃除シーンにおいても製品１台で賄うことができ、使用性が良く、そして経済性の高い電気掃除機を提供することができる。
【００２５】
ところで、本実施の形態の電気掃除機では、集塵方式について特に言及していないが、サイクロン式、紙パック式またはダイレクト集塵方式等、あらゆる集塵方式の電気掃除機に本発明を適用することができる。
【００２６】
また、本実施の形態の電気掃除機では、掃除機本体１にアタッチメントとしての延長管４又は吸込口体５を直接装着可能な電気掃除機において、回転可動式の持ち手ハンドル１３を採用することとした。しかしながら、回転可動式の持ち手ハンドル１３を適用可能な掃除機はこれに限られず、例えば、床移動型と充電携帯型とを切り替えて使用可能なあらゆる電気掃除機において適用することができる。
【００２７】
また、本実施の形態の電気掃除機では、持ち手ハンドル１３の可変機構１３４の構成として、支持部１３２を支点として持ち手部１３３を回転させる回転可動式の機構を説明した。しかしながら、可変機構１３４の構成はこれに限られず、例えば、持ち手ハンドル１３を取り外し可能であり且つ１８０°回転させた位置でも装着可能な機構としてもよいし、また他の公知な機構を採用して掃除機本体１に対する持ち手ハンドル１３の位置を可変させることとしてもよい。
【符号の説明】
【００２８】
１  掃除機本体、２  電動送風機、３  ホース、４  延長管、５  吸込口体、６  電池、７  充電回路、８  充電台、９  走行車輪、１０  キャスター、１１  電源コード、１２  駆動制御回路、１３  持ち手ハンドル、１３１  操作部、１３２  支持部、１３３  持ち手部、１３４  可変機構、３１  手元ハンドル
【図１】
2015213647.tif 000003
【図２】
2015213647.tif 000004
【図３】
2015213647.tif 000005
【図４】
2015213647.tif 000006
【図５】
2015213647.tif 000007
【図６】
2015213647.tif 000008
【図７】
2015213647.tif 000009
【図８】
2015213647.tif 000010
【図９】
2015213647.tif 000011